(57)【要約】【課題】冷蔵倉庫の内部の人の快適性を確保しつつも、冷蔵倉庫の内部の温度を適切に管理する。【解決手段】冷却システム１００は、冷蔵倉庫５０の内部を冷却する冷却装置１０と、対象位置センサ２０と、在室検知センサ３０と、コントローラ４０と、を備える。コントローラ４０は、対象位置センサ２０の検知結果に基づいて冷蔵倉庫５０の内部の人の位置を判別する位置判別部と、位置判別部が判別した人の位置を避けるように、冷却装置１０から出力される冷気の方向を制御する冷却制御部とを備える。【選択図】図１
2019128045.tif 000002
【特許請求の範囲】
【請求項１】
冷蔵倉庫の内部を冷却する冷却装置の運転を制御するコントローラであって、
前記冷蔵倉庫の内部の人の位置を判別する位置判別部と、
前記位置判別部が判別した人の位置を避けるように、前記冷却装置から出力される冷気の方向を制御する冷却制御部と、
を備えるコントローラ。
【請求項２】
前記位置判別部は、前記冷蔵倉庫の内部にある予め定めた温度以上の物の位置をさらに判別し、
前記冷却制御部は、前記判別した人の位置を避けることを前提に前記判別した物に当たるように前記冷気の方向を制御する、
請求項１に記載のコントローラ。
【請求項３】
前記位置判別部が複数の物の位置を判別した場合、前記冷却制御部は、最も温度が高い物に当たるように、前記冷気の方向を制御する、
請求項２に記載のコントローラ。
【請求項４】
前記冷蔵倉庫の内部に人が存在するか否かを判別する在室判別部をさらに備え、
前記冷却制御部は、前記在室判別部が前記冷蔵倉庫の内部に人が存在すると判別した際に前記冷蔵倉庫の内部の温度が第１閾値温度以下である場合に、前記冷蔵倉庫の内部の温度を上げるように前記冷却装置を制御する、
請求項１から３の何れか１項に記載のコントローラ。
【請求項５】
前記冷却制御部は、前記在室判別部が前記冷蔵倉庫の内部に人が存在しないと判別した際に前記冷蔵倉庫の内部の温度が前記第１閾値温度よりも低い第２閾値温度以上である場合に、前記冷蔵倉庫の内部の温度を下げるように前記冷却装置を制御する、
請求項４に記載のコントローラ。
【請求項６】
冷蔵倉庫の内部を冷却する冷却装置と、前記冷却装置の運転を制御するコントローラと、前記冷蔵倉庫の内部にある対象の位置を判別する対象位置センサと、を備えた冷却システムであって、
前記コントローラは、
前記対象位置センサが取得した位置情報に基づいて、前記冷蔵倉庫の内部の人の位置を判別する位置判別部と、
前記位置判別部が判別した人の位置を避けるように前記冷却装置から出力される冷気の方向を制御する冷却制御部と、を備える、
冷却システム。
【請求項７】
冷蔵倉庫の内部の人の位置を判別し、
取得した位置を避けるように、冷却装置から出力される冷気の方向を制御する、
冷却装置の制御方法。
【請求項８】
冷蔵倉庫の内部を冷却する冷却装置の運転を制御するコンピュータを、
前記冷蔵倉庫の内部の対象の位置を判別する位置判別部、
前記位置判別部が判別した対象の位置に基づいて、前記冷却装置から出力される冷気の方向を制御する冷却制御部、
として機能させるプログラム。
【発明の詳細な説明】
【技術分野】
【０００１】
本発明は、コントローラ、冷却システム、冷却装置の制御方法、及び、プログラムに関する。
【背景技術】
【０００２】
生鮮食品、冷凍食品等を低温で貯蔵するために冷蔵倉庫が用いられている。このような冷蔵倉庫の内部で作業員が食品の配送、仕分け等の作業をする場合、冷蔵倉庫の内部の冷気が作業員に直接当たることで、作業員が不快に感じてしまうという問題がある。
【０００３】
このような問題に対処するため、特許文献１には、冷蔵倉庫の内部に人感センサを設け、人感センサが人を検出した場合に、送風機の風量を低減する発明について記載されている。特許文献２には、人体検知スイッチ、扉の開閉スイッチ等の出力から冷蔵倉庫の内部に人がいるか否かを判別し、人がいると判別した場合は送風機を停止する発明について記載されている。
【先行技術文献】
【特許文献】
【０００４】
【特許文献１】特開２００８−８２６２１号公報
【特許文献２】特開平５−１５７４３１号公報
【発明の概要】
【発明が解決しようとする課題】
【０００５】
特許文献１及び特許文献２に記載された発明では、冷蔵倉庫の内部に作業員がいる場合は送風機の出力が低減、若しくは停止されるため、作業員の快適性はある程度保たれる。しかしながら、冷蔵倉庫の内部に作業員がいる間は、送風機の出力の低減、停止により、倉庫内の温度が上昇してしまい、倉庫内の食品が傷んでしまう虞がある。
【０００６】
本発明は上記実情に鑑みてなされたものであり、冷蔵倉庫の内部の人の快適性を確保しつつも、冷蔵倉庫の内部の温度を適切に管理することができるコントローラ、冷却システム、冷却装置の制御方法、及び、プログラムを提供することを目的とする。
【課題を解決するための手段】
【０００７】
上記目的を達成するため、本発明に係るコントローラは、
冷蔵倉庫の内部を冷却する冷却装置の運転を制御するコントローラであって、
前記冷蔵倉庫の内部の人の位置を判別する位置判別部と、
前記位置判別部が判別した人の位置を避けるように、前記冷却装置から出力される冷気の方向を制御する冷却制御部と、
を備える。
【発明の効果】
【０００８】
本発明によれば、冷蔵倉庫の内部の人の快適性を確保しつつも、冷蔵倉庫の内部の温度を適切に管理することができる。
【図面の簡単な説明】
【０００９】
【図１】本発明の実施形態に係る冷却システムの全体構成を示す図
【図２】実施形態のコントローラの構成を示すブロック図
【図３】実施形態の対象位置記憶ＤＢを説明するための図
【図４】実施形態の在室状況記憶ＤＢを説明するための図
【図５】実施形態の冷却制御処理の手順を示すフローチャート
【図６】冷却装置から出力される冷気の方向を決定する処理を説明するための図（その１）
【図７】冷却装置から出力される冷気の方向を決定する処理を説明するための図（その２）
【図８】冷却装置から出力される冷気の方向を決定する処理を説明するための図（その３）
【発明を実施するための形態】
【００１０】
以下、本発明の実施形態について、図面を参照しながら詳細に説明する。なお、図中同一または相当部分には同一符号を付す。
【００１１】
本発明の実施形態に係る冷却システム１００の全体構成を図１に示す。冷却システム１００は、冷蔵倉庫５０の内部の温度を、物（食品）の貯蔵に適した温度に保つためのシステムである。冷却システム１００は、冷却装置１０と、対象位置センサ２０と、在室検知センサ３０と、コントローラ４０と、を備える。コントローラ４０は、ＬＡＮ（Local Area Network）、専用回線等のネットワークＮ１を介して、冷却装置１０、対象位置センサ２０、及び在室検知センサ３０と通信可能に接続されている。
【００１２】
冷却装置１０は、冷蔵倉庫５０の内部に設置されたユニットクーラ（室内機）、外部に設置されたコンデンシングユニット（室外機）等を備え、コンデンシングユニットから冷気を出力して冷蔵倉庫５０の内部を冷却する。本実施形態では、冷蔵倉庫５０は食品を冷凍保存するために利用される。そのため、冷却装置１０は、冷蔵倉庫５０の内部の温度を極めて低温（例えば、−１５℃以下）に保つ必要がある。また、冷却装置１０のユニットクーラには温度センサが内蔵されており、空調対象空間である冷蔵倉庫５０の内部の温度（代表温度）を計測する。代表温度は、後述する冷却制御処理で、コントローラ４０が冷却装置１０を制御するために利用される。
【００１３】
対象位置センサ２０は、冷蔵倉庫５０の内部の対象（人又は物（食品））の位置を取得するためのセンサである。具体的には、対象位置センサ２０は、冷蔵倉庫５０の内部に配置された赤外線カメラであり、予め定めた時間毎に冷蔵倉庫５０の内部を撮像し、撮像の結果得られた赤外線画像データ（温度分布データ）をコントローラ４０に送信する。なお、冷蔵倉庫５０の内部を死角無く撮像できるように、異なる位置に配置された複数の赤外線カメラにより対象位置センサ２０を構成してもよい。
【００１４】
在室検知センサ３０は、冷蔵倉庫５０の内部の人の在室、不在を検知するためのセンサである。例えば、在室検知センサ３０は、冷蔵倉庫５０の扉の開閉センサ、人感センサ等であり、予め定めた時間毎に検知結果をコントローラ４０に送信する。なお、在室検知センサ３０を設けずに、冷蔵倉庫５０の扉の開閉スイッチの出力、カードキーによる冷蔵倉庫５０の内部の入退室情報等をコントローラ４０に送信してもよい。
【００１５】
なお、対象位置センサ２０と在室検知センサ３０とは同期が取れており、同じタイミングで、予め定めた時間間隔毎（例えば、１分毎）に、検知結果をコントローラ４０に送信する。
【００１６】
コントローラ４０は、ネットワークＮ１を介して冷却装置１０と接続され、冷却装置１０の運転を制御する。コントローラ４０は、図２に示すように、通信ＩＦ（インタフェース）４１と、記憶部４２と、制御部４３とを備える。
【００１７】
通信ＩＦ４１は、コントローラ４０がネットワークＮ１を介して冷却装置１０、対象位置センサ２０、及び、在室検知センサ３０と通信するためのインタフェースである。
【００１８】
記憶部４２は、ＥＥＰＲＯＭ（Electrically Erasable Programmable Read-Only Memory）、フラッシュメモリ等の読み書き可能な不揮発性の半導体メモリ、又はＨＤＤ（Hard Disk Drive）である。なお、ＳＤカード、ＵＳＢメモリ等の取り外し可能な記憶装置によって記憶部を構成してもよい。記憶部４２は、対象位置記憶ＤＢ４２１と在室状況記憶ＤＢ４２２とを記憶する。この他にも、記憶部４２には、様々なプログラム、それらのプログラムの実行時に使用されるデータ（例えば、冷蔵倉庫５０の内部の間取りを示す座標データ、冷蔵倉庫５０の内部における冷却装置１０の位置を示すデータ、冷却装置１０の設定データ（設定温度、風量、風向等））が記憶されている。
【００１９】
対象位置記憶ＤＢ４２１には、冷蔵倉庫５０の内部にある対象（人又は物）の位置情報が記憶される。具体的には、対象位置記憶ＤＢ４２１には、図３に示すように、計測日時と、対象種類と、位置と、温度とを対応付けた位置情報が記憶される。対象種類は、その対象が人か物のどちらであるかを示す。位置は、冷蔵倉庫５０の内部の対象の位置を２次元座標で表した座標データである。なお、本実施形態では、図１に示すように、冷蔵倉庫５０の左下隅を原点とした２次元座標（Ｘ，Ｙ）で冷蔵倉庫５０の内部の位置を表す。温度は、対象の温度である。
【００２０】
在室状況記憶ＤＢ４２２には、図４に示すように、冷蔵倉庫５０の内部に人が存在するか否かを示す在室情報が記憶される。
【００２１】
図２に戻り、制御部４３は、図示せぬＣＰＵ（Central Processing Unit）、オペレーティングシステム等のプログラムを記憶するＲＯＭ（Read Only Memory）、ワークエリアとなるＲＡＭ（Random Access Memory）等を備える。制御部４３は、記憶部４２又はＲＯＭに記憶されているプログラムを実行することにより、コントローラ４０の全体を制御する。
【００２２】
また、制御部４３は、機能的な構成として、在室判別部４３１と、位置判別部４３２と、冷却制御部４３３とを備える。
【００２３】
在室判別部４３１は、在室検知センサ３０の検知結果に基づいて、冷蔵倉庫５０の内部の人の有無を判別し、判別結果を在室状況記憶ＤＢ４２２に登録する。
【００２４】
位置判別部４３２は、対象位置センサ２０（赤外線カメラ）から受信した赤外線画像（温度分布データ）を解析して、冷蔵倉庫５０の内部の人の位置、物（食品）の位置及び温度を判別し、判別結果を対象位置記憶ＤＢ４２１に登録する。位置判別部４３２による処理の詳細については後述する。
【００２５】
冷却制御部４３３は、冷却装置１０の運転を制御するための処理を実行する。具体的には、冷却制御部４３３は、位置判別部４３２が判別した人の位置を避けることを前提に、位置判別部４３２が判別した物の位置に冷気が当たるように、冷却装置１０の送風方向を制御する指示信号を冷却装置１０に送信する。また、冷却制御部４３３は、冷蔵倉庫５０の内部の温度に基づいて、冷却装置１０の設定温度を変更する処理を行う。位置判別部４３２によるこれらの処理の詳細については後述する。
【００２６】
続いて、冷却システム１００のコントローラ４０の動作について説明する。例えば、対象位置センサ２０及び在室検知センサ３０から情報を受信する度、若しくは、予め定めた時間（例えば５分間）が経過する度に、コントローラ４０は、図５のフローチャートに示す冷却制御処理を開始する。
【００２７】
まず、コントローラ４０の在室判別部４３１は、在室検知センサ３０から受信した情報に基づいて、冷蔵倉庫５０の内部の人の有無を判別し、判別結果を在室状況記憶ＤＢ４２２に登録する（ステップＳ１０１）。
【００２８】
続いて、位置判別部４３２は、対象位置センサ２０から受信した赤外線画像を解析して、冷蔵倉庫５０の内部にいる人の位置を判別し、その位置情報を対象位置記憶ＤＢ４２１に登録する（ステップＳ１０２）。なお、ステップＳ１０１で冷蔵倉庫５０の内部に人がいないと判別している場合は、この処理は行わなくてもよい。
【００２９】
具体的には、位置判別部４３２は、受信した赤外線画像内に人と想定される大きさで予め定めた温度範囲の領域がある場合に、当該領域に人がいると判別する。そして、位置判別部４３２は、対象種別を「人」、位置を当該領域の中心位置、温度を当該領域の平均温度（若しくは最高温度）とした位置情報を対象位置記憶ＤＢ４２１に登録する。
【００３０】
続いて、位置判別部４３２は、受信した赤外線画像を解析して、冷蔵倉庫５０の内部にある予め定めた温度以上（例えば、０℃以上）の物を判別し、その位置情報を対象位置記憶ＤＢ４２１に登録する（ステップＳ１０３）。
【００３１】
具体的には、位置判別部４３２は、受信した赤外線画像内に予め定めた温度以上でステップＳ１０２で人とは判別していない領域がある場合に、当該領域に物（食品）があると判別する。そして、位置判別部４３２は、対象種別を「物」、位置を当該領域の中心位置、温度を当該領域の平均温度（若しくは最高温度）とした位置情報を対象位置記憶ＤＢ４２１に登録する。
【００３２】
続いて、冷却制御部４３３は、ステップ１０２で判別した人の位置とステップＳ１０３で判別した物の位置とに基づいて、冷却装置１０が出力する冷気の方向を決定する（ステップＳ１０４）。具体的には、冷却制御部４３３は、冷却装置１０から出力される冷気の方向として、判別した人の位置を避けることを前提に、判別した物の位置に冷気が向かう方向を決定する。なお、ステップＳ１０３で複数の物の位置を判別した場合、冷却制御部４３３は、冷気の出力方向として、最も温度が高い物の位置に冷気が向かう方向を決定してもよい。
【００３３】
ここで、例を挙げてステップＳ１０４の処理について説明する。例えば、ステップＳ１０２とステップＳ１０３との処理により、冷蔵倉庫５０の内部の図６に示すような位置に、人１Ａ、１Ｂ及び物２Ａがあると判別された場合を考える。この場合、ステップＳ１０４の処理では、冷却装置１０の冷気の出力方向として、人１Ａ、１Ｂを避け、かつ、物２Ａに向かう方向３Ａが決定される。
【００３４】
また、例えば、ステップＳ１０２とステップＳ１０３との処理により、冷蔵倉庫５０の内部の図７に示すような位置に、人１Ｃ、１Ｄ及び物２Ｂがあると判別された場合を考える。この場合、冷却装置１０から物２Ｂに向けて冷気を出力した場合、人１Ｃにも冷気が当たってしまう。そのため、この場合ステップＳ１０４の処理では、冷却装置１０から出力される冷気の方向として、人１Ｃ、１Ｄ及び物２Ｂの何れも避ける方向３Ｂが決定される。
【００３５】
また、例えば、ステップＳ１０３の処理により、冷蔵倉庫５０の内部の図８に示すような位置に、１０℃の物２Ｃと１５℃の物２Ｄと２０℃の物２Ｅとがあると判別された場合を考える。この場合ステップＳ１０４の処理では、冷却装置１０から出力される冷気の方向として、温度が最も高い物２Ｅに向かう方向３Ｃが決定される。
【００３６】
図５のフローチャートに戻り、続いて、冷却制御部４３３は、ステップＳ１０４で決定した方向に冷気の出力方向を変更する指示信号を冷却装置１０に送信する（ステップＳ１０５）。当該指示信号を受信した冷却装置１０では、指示された方向に冷気の出力方向が変更される。なお、出力方向を変更する必要が無い場合はこの処理を行う必要はない。
【００３７】
続いて、ステップＳ１０１で冷蔵倉庫５０の内部に人がいると判別した場合（ステップＳ１０６；Ｙｅｓ）、冷却制御部４３３は、冷却装置１０の温度センサが計測した冷却装置１０の内部の温度（代表温度）が第１閾値温度（例えば、−１０℃）以下であるか否かを判別する（ステップＳ１０７）。なお、冷却制御部４３３は、代表温度に代えて、ステップＳ１０３で判別した物の温度（複数の物を判別した場合は最大温度）が第１閾値温度以下であるか否かを判別してもよい。
【００３８】
第１閾値温度以下である場合（ステップＳ１０７；Ｙｅｓ）、冷却制御部４３３は、冷蔵倉庫５０の内部の温度を上げるように冷却装置１０を制御する（ステップＳ１０８）。具体的には、冷却制御部４３３は、設定温度を１℃上げることを指示する信号、又は冷気の風量を１段階弱くすることを指示する信号を冷却装置１０に送信する。
【００３９】
なお、冷却制御部４３３は、冷蔵倉庫５０の内部の温度（代表温度）と第１閾値温度との差に応じて、冷却装置１０に指示する内容を異ならせてもよい。例えば、代表温度が第１閾値温度よりも著しく低い場合、冷却制御部４３３は、設定温度を３℃上げることを指示する信号、又は冷気の風量を２段階弱くすることを指示する信号を冷却装置１０に送信してもよい。
【００４０】
第１閾値温度以下でない場合（ステップＳ１０７；Ｎｏ）、若しくは、ステップＳ１０８の処理が終了すると、冷却制御処理は終了する。
【００４１】
一方、ステップＳ１０６で冷蔵倉庫５０の内部に人がいないと判別した場合（ステップＳ１０６；Ｎｏ）、冷却制御部４３３は、冷却装置１０の温度センサが計測した冷却装置１０の内部の温度（代表温度）が第１閾値温度よりも低い第２閾値温度（例えば、−１５℃）以上であるか否かを判別する（ステップＳ１０９）。なお、冷却制御部４３３は、代表温度に代えて、ステップＳ１０３で判別した物の温度（複数の物を判別した場合はそのうちの最大温度）が第２閾値温度以上であるか否かを判別してもよい。
【００４２】
第２閾値温度以上である場合（ステップＳ１０９；Ｙｅｓ）、冷却制御部４３３は、冷蔵倉庫５０の内部の温度を下げるように冷却装置１０に制御する（ステップＳ１１０）。具体的には、冷却制御部４３３は、設定温度を１℃下げることを指示する信号、又は冷気の風量を１段階強くすることを指示する指示信号を冷却装置１０に送信する。
【００４３】
なお、冷却制御部４３３は、第２閾値温度と冷蔵倉庫５０の内部の温度（代表温度）との差に応じて、冷却装置１０に指示する内容を異ならせてもよい。例えば、代表温度が第２閾値温度よりも著しく高い場合、冷却制御部４３３は、設定温度を３℃下げることや冷気の風量を２段階強くすることを指示する信号を冷却装置１０に送信してもよい。
【００４４】
第２閾値温度以上で無い場合（ステップＳ１０９；Ｎｏ）、若しくは、ステップＳ１１０の処理が終了すると、冷却制御処理は終了する。
【００４５】
このように、本実施形態に係るコントローラ４０は、冷蔵倉庫５０の内部に人がいる場合、当該人の位置を避ける方向に、冷却装置１０から出力される冷気の方向を制御する。そのため、冷気が直接当たることによって人が不快に感じてしまうことを防ぐことができる。さらに、本実施形態では、冷気は出力方向のみが変更され、冷気の出力が低減、若しくは停止されることは無いため、人がいる間に冷蔵倉庫５０の内部の温度が上昇して食品が傷んでしまう可能性も低い。即ち、本実施形態によれば、冷蔵倉庫５０の内部の人の快適性を確保しつつも、冷蔵倉庫５０の内部の温度を適切に管理することが可能となる。
【００４６】
また、本実施形態に係るコントローラ４０によれば、冷蔵倉庫５０の内部にある予め定めた温度以上の物の位置が判別される。そして、人の位置を避けることを前提に判別した物の位置に冷気が当たるように、冷却装置１０から出力される冷気の方向が制御される。そのため、鮮度を保つために早急に冷却（冷凍）したい常温の食品を短時間で冷却（冷凍）することが可能となる。
【００４７】
また、本実施形態に係るコントローラ４０によれば、冷蔵倉庫５０の内部に人が存在し、冷蔵倉庫５０の内部の温度が第１閾値温度以下である（即ち、十分冷えている）場合は、冷蔵倉庫５０の内部の温度を上げるように冷却装置１０を制御する。そのため、冷蔵倉庫５０の内部の人の快適性をより向上させることが可能となる。
【００４８】
また、本実施形態に係るコントローラ４０によれば、冷蔵倉庫５０の内部に人が存在せず、冷蔵倉庫５０の内部の温度が第２閾値温度以上である（即ち、冷却が不十分である）場合は、冷蔵倉庫５０の内部の温度を下げるように冷却装置１０を制御する。また、この第２閾値温度は、冷蔵倉庫５０の内部に人がいる場合に用いられる第１閾値温度よりも低い温度が設定されている。そのため、冷蔵倉庫５０の内部に人がいない場合は、人の快適性を考慮する必要無しに、冷蔵倉庫５０の内部を十分に冷却することが可能となる。
【００４９】
なお、本発明は、上記実施形態に限定されず、本発明の要旨を逸脱しない範囲での種々の変更は勿論可能である。
【００５０】
例えば、上記実施形態では対象位置センサ２０が赤外線カメラであると説明したが、他のセンサを用いて冷蔵倉庫５０の内部の対象の位置を取得してもよい。例えば、倉庫内の異なる複数箇所から異なるビーコンを常時出力させる。そして、人（作業員）にビーコンの受信装置を携帯させることで、受信装置がどのビーコンを受信しているかによって、作業員の位置を判別してもよい。また、対象位置センサ２０の検知結果から冷蔵倉庫５０の内部の人の有無が判別できる場合は、在室検知センサ３０を設けなくてもよい。
【００５１】
例えば、コントローラ４０は、冷蔵倉庫５０の物の出庫情報を記憶部４２に記憶させておき、当該出庫情報も参照して、冷却装置１０を制御してもよい。例えば、コントローラの冷却制御部４３３は、出庫情報から冷蔵倉庫５０が長時間不在になると判断できる時間帯には、冷蔵倉庫内の設定温度を低くするように冷却装置１０を制御してもよい。また、冷却制御部４３３は、出庫情報から冷蔵倉庫５０の内部で従業員による出庫、入庫等の作業が行われる時刻の予め定めた時間前（例えば、１時間前）から、冷蔵倉庫５０の内部の設定温度を高くするように冷却装置１０を制御してもよい。このようにすることで、冷蔵倉庫５０への出庫作業や入庫作業時に作業員への負担を軽減することが可能となる。
【００５２】
また、コントローラ４０の記憶部４２に記憶されている対象位置記憶ＤＢ４２１、在室状況記憶ＤＢ４２２、上述した出庫情報等を、インターネットを介してクラウドサーバ上で保持し、コントローラ４０が適宜参照してもよい。
【００５３】
なお、上記実施形態からも明らかなように、本発明における「冷蔵倉庫」は、物、食品等を冷蔵するために利用される冷蔵倉庫に限定されるものではなく、物、食品等を冷凍するために利用される冷凍倉庫も意味するものである。
【００５４】
また、上記実施形態において、コントローラ４０が実行するプログラムを、既存のコンピュータに適用することで、当該コンピュータを本発明に係るコントローラ４０として機能させることも可能である。
【００５５】
このようなプログラムの配布方法は任意であり、例えば、ＣＤ−ＲＯＭ（Compact Disk Read-Only Memory）、ＤＶＤ（Digital Versatile Disk）、ＭＯ（Magneto Optical Disk）、メモリカード等のコンピュータ読み取り可能な記録媒体に格納して配布してもよいし、インターネット等の通信ネットワークを介して配布してもよい。また、コントローラ４０の機能を冷却装置１０が有していてもよい。
【００５６】
本発明は、本発明の広義の精神と範囲を逸脱することなく、様々な実施形態及び変形が可能とされるものである。また、上述した実施形態は、本発明を説明するためのものであり、本発明の範囲を限定するものではない。つまり、本発明の範囲は、実施形態ではなく、特許請求の範囲によって示される。そして、特許請求の範囲内及びそれと同等の発明の意義の範囲内で施される様々な変形が、本発明の範囲内とみなされる。
【符号の説明】
【００５７】
１００  冷却システム、１０  冷却装置、２０  対象位置センサ、３０  在室検知センサ、４０  コントローラ、５０  冷蔵倉庫、Ｎ１  ネットワーク、４１  通信ＩＦ、４２  記憶部、４２１  対象位置記憶ＤＢ、４２２  在室状況記憶ＤＢ、４３  制御部、４３１  在室判別部、４３２  位置判別部、４３３  冷却制御部、１Ａ〜１Ｄ  人、２Ａ〜２Ｅ  物、３Ａ〜３Ｃ  冷気の出力方向
【図１】
2019128045.tif 000003
【図２】
2019128045.tif 000004
【図３】
2019128045.tif 000005
【図４】
2019128045.tif 000006
【図５】
2019128045.tif 000007
【図６】
2019128045.tif 000008
【図７】
2019128045.tif 000009
【図８】
2019128045.tif 000010